(57)【要約】【課題】払込金の不正着服を発覚しやすくできる。【解決手段】払込コード受付手段は払込票に付された払込コードの入力を受付ける。払込情報読込手段は、前記払込コードに基づいて前記払込票の払込金額と払込先の情報とを含む払込情報を読み込む。入金登録手段は前記払込金額の入金登録を行う。中止受付手段は前記入金登録の中止を受付ける。入金中止記録手段は、前記入金登録の中止を受付けると、入金中止記録として、中止を受付けた払込票にかかる前記払込情報を記憶手段に記録する。点検指示受付手段は、所定期間の入出金額を点検するための点検レポートを出力する旨の点検指示を受付ける。集計手段は、中止を受付けた前記払込金額について前記所定期間内の合計金額を集計する。出力手段は、前記中止を受付けた前記払込金額の合計金額を含めて前記点検レポートの印字データを生成し、当該印字データを出力する。【選択図】図１５
2016081377.tif 000002
【特許請求の範囲】
【請求項１】
払込票に付された払込コードの入力を受付ける払込コード受付手段と、
前記払込コード受付手段が受付けた前記払込コードに基づいて、前記払込票の払込金額と払込先の情報とを含む払込情報を読み込む払込情報読込手段と、
前記払込情報読込手段が読み込んだ前記払込金額の入金登録を行う入金登録手段と、
前記入金登録の中止を受付ける中止受付手段と、
前記中止受付手段が前記入金登録の中止を受付けると、入金中止記録として、中止を受付けた払込票にかかる前記払込情報を記憶手段に記録する入金中止記録手段と、
所定期間の入出金額を点検するための点検レポートを出力する旨の点検指示を受付ける点検指示受付手段と、
前記中止受付手段が中止を受付けた前記払込金額について前記所定期間内の合計金額を集計する集計手段と、
前記点検指示受付手段が前記点検指示を受付けると、前記中止を受付けた前記払込金額の合計金額を含めて前記点検レポートの印字データを生成し、当該印字データを出力する出力手段と、
を備える販売データ処理装置。
【請求項２】
前記記憶手段から前記入金中止記録を読み出して、前記中止受付手段が前記中止を受付けた時系列に従って各入金中止記録を並べた履歴レポートの印字データを生成する履歴レポート生成手段と、
前記履歴レポート生成手段が生成した前記履歴レポートの印字データを出力する履歴レポート出力手段と、
を更に備える請求項１に記載の販売データ処理装置。
【請求項３】
前記履歴レポート出力手段は、前記出力手段が前記点検レポートの印字データを出力する際に、前記履歴レポート生成手段が生成した前記履歴レポートの印字データをあわせて出力する、請求項２に記載の販売データ処理装置。
【請求項４】
前記点検指示受付手段は、１日１回その日の入出金合計金額を点検する旨の指示を受付けて、
前記履歴レポート生成手段は、前記点検指示受付手段が前記その日の入出金合計金額を点検する旨の指示を受付けると、前記履歴レポートの印字データを生成する、請求項３に記載の販売データ処理装置。
【請求項５】
前記履歴レポート生成手段は、前記入金登録手段により前記入金登録を完了した取引分の履歴および前記入金登録を取り消した取引分の履歴を含む前記履歴レポートにおいて、前記中止受付手段が前記中止を受付けた取引分の履歴を出力し、当該履歴レポートにおいて、前記中止を受付けた前記入金登録の履歴には当該取引が中止されたものであることを示して、前記履歴レポートの印字データを生成する、
請求項２ないし４のいずれか１つに記載の販売データ処理装置。
【請求項６】
販売データ処理装置において、コンピュータを、
払込票に付された払込コードの入力を受付ける払込コード受付手段と、
前記払込コード受付手段が受付けた前記払込コードに基づいて、前記払込票の払込金額と払込先の情報とを含む払込情報を読み込む払込情報読込手段と、
前記払込情報読込手段が読み込んだ前記払込金額の入金登録を行う入金登録手段と、
前記入金登録の中止を受付ける中止受付手段と、
前記中止受付手段が前記入金登録の中止を受付けると、入金中止記録として、中止を受付けた払込票にかかる前記払込情報を記憶手段に記録する入金中止記録手段と、
所定期間の入出金額を点検するための点検レポートを出力する旨の点検指示を受付ける点検指示受付手段と、
前記中止受付手段が中止を受付けた前記払込金額について前記所定期間内の合計金額を集計する集計手段と、
前記点検指示受付手段が前記点検指示を受付けると、前記中止を受付けた前記払込金額の合計金額を含めて前記点検レポートの印字データを生成し、当該印字データを出力する出力手段と、
して機能させるためのプログラム。
【発明の詳細な説明】
【技術分野】
【０００１】
本発明の実施形態は、販売データ処理装置およびプログラムに関する。
【背景技術】
【０００２】
従来、公共料金や税金、通信販売等の支払いの受付を、コンビニエンスストア等の代行業者が行う収納代行サービスがある。例えばコードシンボル付の払込取扱票（払込票）が用いられる場合、ＰＯＳ端末はスキャナがコードシンボルから読み取った払込先名称や口座番号、払込金額等の情報入力を受付ける。そして、店員は客から払込金額を受領するとＰＯＳ端末にて精算処理を行い、プリンタから受領伝票（レシート）を発行して、店舗印を押した払込受領証とともに客に手渡す。
【０００３】
このような収納代行業務において、店員が客から受け取った払込金を着服した事例が発生している。即ち具体例としては、客から払込金を受け取った店員が入金登録処理を完了させずに、客には店舗印を押した払込受領証を手渡して払込受付が完了したように見せかけた。そして客がレジカウンタから離れた後に店員は入金登録処理を中止し、入金登録処理が客都合でキャンセルされたように見せかけて払込金を着服するという事例があった。
【０００４】
このような不正着服を防止するため、プリンタから客用の控伝票（レシート）を発行して入金登録が的確に為されたことを証明するＰＯＳ端末に関する技術も開示されている。しかしながら客は、払込受領証を受け取っていれば控伝票を確認しない場合が多いので、客側が不正に気付くのは難しいといった現状がある。そこで従来、払込金の不正着服を発覚しやすくできるＰＯＳ端末の開発が望まれていた。
【発明の概要】
【発明が解決しようとする課題】
【０００５】
本発明が解決しようとする課題は、払込金の不正着服を発覚しやすくできる販売データ処理装置およびプログラムを提供することである。
【課題を解決するための手段】
【０００６】
実施形態の販売データ処理装置は、払込コード受付手段と、払込情報読込手段と、入金登録手段と、中止受付手段と、入金中止記録手段と、点検指示受付手段と、集計手段と、出力手段と、を備える。払込コード受付手段は、払込票に付された払込コードの入力を受付ける。払込情報読込手段は、前記払込コード受付手段が受付けた前記払込コードに基づいて、前記払込票の払込金額と払込先の情報とを含む払込情報を読み込む。入金登録手段は、前記払込情報読込手段が読み込んだ前記払込金額の入金登録を行う。中止受付手段は、前記入金登録の中止を受付ける。入金中止記録手段は、前記中止受付手段が前記入金登録の中止を受付けると、入金中止記録として、中止を受付けた払込票にかかる前記払込情報を記憶手段に記録する。点検指示受付手段は、所定期間の入出金額を点検するための点検レポートを出力する旨の点検指示を受付ける。集計手段は、前記中止受付手段が中止を受付けた前記払込金額について前記所定期間内の合計金額を集計する。出力手段は、前記点検指示受付手段が前記点検指示を受付けると、前記中止を受付けた前記払込金額の合計金額を含めて前記点検レポートの印字データを生成し、当該印字データを出力する。
【図面の簡単な説明】
【０００７】
【図１】図１は、本実施形態に係る店舗システムの概略構成図である。
【図２】図２は、ＰＯＳ端末の機能構成を示すブロック図である。
【図３】図３は、点検業務選択画面の画面構成例を示す図である。
【図４】図４は、ＰＯＳ端末が実行する収納代行業務の手順例を示すフローチャートである。
【図５】図５は、業務選択画面の画面構成例を示す図である。
【図６】図６は、枚数入力画面の画面構成例を示す図である。
【図７】図７は、ガイダンス画面の画面構成例を示す図である。
【図８】図８は、払込明細画面の画面構成例を示す図である。
【図９】図９は、入力中止時に生成されるジャーナルデータの構成例を示した説明図である。
【図１０】図１０は、承認画面の画面構成例を示す図である。
【図１１】図１１は、通知メッセージの表示例を示す図である。
【図１２】図１２は、店員用表示器に表示される登録画面の一例を示す図である。
【図１３】図１３は、客用表示器に表示される受取画面の一例を示す図である。
【図１４】図１４は、ＰＯＳ端末が実行する点検処理の手順例を示すフローチャートである。
【図１５】図１５は、点検レポートの印字例を示した図である。
【図１６】図１６は、収納代行履歴レポートの印字例を示した図である。
【発明を実施するための形態】
【０００８】
図１は、本実施形態に係る店舗システム１００の概略構成図である。ＰＯＳ端末１は、店舗における売上データを登録する販売データ処理装置である。尚、店舗において用いられるＰＯＳ端末１の台数は特に限定されない。また、以下では、複数の図面に示される同様の構成について同一符号を付して示し、重複する説明を省略する場合がある。
【０００９】
店舗サーバ４は、店舗内のＰＯＳ端末１とＬＡＮ（Local  Area  Network）３等のネットワークで接続されている。店舗サーバ４は、ＰＯＳ端末１から出力されたデータに基づき、店舗における売上管理、在庫管理、発注管理、業務記録の管理等を行う。
【００１０】
次に、ＰＯＳ端末１について説明する。図２は、ＰＯＳ端末１の機能構成を示すブロック図である。ＰＯＳ端末１は、ＣＰＵ、ＲＯＭ、ＲＡＭ等で構成されるコンピュータ構成の制御部１１を備えている。また、制御部１１にはバス１２及びＩ／Ｏ機器制御部１４を介して、キーボード１５、スキャナ１６、店員用表示器１７、客用表示器１８、プリンタ１９、ドロワ２０及びＨＤＤ６０が接続されている。また、店員用表示器１７および客用表示器１８の表示画面上には、タッチパネル１７１、１８１がそれぞれ積層されている。
【００１１】
制御部１１は、通信Ｉ／Ｆ１３及びＬＡＮ３等を介して店舗サーバ４との間でデータ通信を行う。ＨＤＤ６０は、制御部１１のＣＰＵを動作させる各種制御プログラムや、商品マスタ（不図示）、払込マスタ６１、ジャーナル格納部６２および集計エリア６３等を有している。
【００１２】
払込マスタ６１は、払込コードと払込情報とを対応付けて記憶しているマスタファイルである。払込情報とは、払込取扱票（以降では単に払込票という）に一般的に記載されている払込に関する情報である。例えば払込情報としては、払込先の名称および口座番号、払込金額、手数料、払込期限、支払人に係る情報などが用いられる。
【００１３】
尚、払込マスタ６１の格納場所は特に限定されない。店舗サーバ４等の上位サーバが有する形態とし、ＰＯＳ端末１が当該サーバから払込情報を読み込んでもよい。
【００１４】
ジャーナル格納部６２は、レシート出力した取引データ（明細データ）を店舗控え用として格納しておくためのメモリ領域である。以下では、ジャーナル格納部６２に格納された取引データをジャーナルデータと称する。本実施形態のＰＯＳ端末１は、収納代行業務において入力中止を受付けると、中止された払込処理に関する履歴をジャーナル格納部６２に記録する。
【００１５】
集計エリア６３は、店舗での商品購入の合計金額や、収納代行業務の入金（預り金）合計額、その他入出金額の合計額、税預り金等の合計額などを格納するためのメモリ領域である。集計エリア６３に集計されたデータは、点検レポートの生成や、営業分析等に用いられる。本実施形態のＰＯＳ端末１は、収納代行業務を中止した払込票について、その払込金額の合計額を算出して集計エリア６３に格納し、点検レポート生成時に利用する。
【００１６】
次に、本実施形態に係るプログラムについて説明する。本実施形態のＰＯＳ端末１で実行されるプログラムは、図２に示すように、表示制御部５１、入力受付部５２、登録部５３、集計部５４、レポート出力部５５を含むモジュール構成となっている。実際のハードウェアとしてはＣＰＵ（プロセッサ）が記憶媒体から本実施形態のプログラムを読み出して実行することにより上記各部が主記憶装置上にロードされ、表示制御部５１、入力受付部５２、登録部５３、集計部５４、レポート出力部５５が主記憶装置上に生成される。
【００１７】
なお、本実施形態のＰＯＳ端末１で実行されるプログラムは、ＲＯＭ或いはＨＤＤ６０等に予め組み込まれて提供される。本実施形態のＰＯＳ端末１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００１８】
さらに、本実施形態のＰＯＳ端末１で実行されるプログラムを、インターネット等のネットワークに接続されたコンピュータ上に格納し、ネットワーク経由でダウンロードさせることにより提供するように構成しても良い。また、本実施形態のＰＯＳ端末１で実行されるプログラムをインターネット等のネットワーク経由で提供または配布するように構成しても良い。
【００１９】
表示制御部５１は、店員用表示器１７、客用表示器１８における表示動作全般を制御する。例えば、表示制御部５１は、店員用表示器１７に点検業務を選択するための点検業務選択画面７０を表示する。
【００２０】
図３は、点検業務選択画面７０の画面構成例を示す図である。点検業務選択画面７０には、仮点検アイコン７０１、本点検アイコン７０２等が設けられている。仮点検アイコン７０１および本点検アイコン７０２は、点検レポート（例えば、図１５参照）を印刷するためのアイコンである。なお、仮点検とは時刻によらずその時点での点検レポートを出力する点検業務であり、本点検とは１日１回その日分の点検レポートを出力する点検業務である。本点検では、他のＰＯＳ端末１に対して点検レポートのデータを出力する点で仮点検の処理とは異なる。なお、仮点検のことを点検、本点検のことを精算、という場合もあり、その呼称は特に限定されない。
【００２１】
入力受付部５２は、キーボード１５、スキャナ１６、タッチパネル１７１、１８１等に対する入力操作に応じて各種指示操作や各種情報の入力を受付ける。例えばスキャナ１６が払込票に付されたコードシンボルから払込コードを読み取る。すると入力受付部５２は、当該払込コードに対応する払込情報を払込マスタ６１から読み込んで受付ける。
【００２２】
また、入力受付部５２は、点検業務選択画面７０において仮点検アイコン７０１が選択操作されると、仮点検レポートを生成、出力する旨の指示を受付ける。また、点検業務選択画面７０において本点検アイコン７０２が選択操作されると、本点検レポートを生成、出力する旨の指示を受付ける。
【００２３】
登録部５３は、収納代行業務にて受付けた払込情報および払込金額と、受付日時、レジ担当者の識別情報とを含めて、払込処理ごとのレシートデータおよびジャーナルデータ（入金登録に関する明細データ）を生成する。そして生成したジャーナルデータをジャーナル格納部６２に記録する。また、登録部５３は、収納代行業務において入力中止を受付けると中止された払込票の払込情報をジャーナルデータとしてジャーナル格納部６２に記録する。
【００２４】
集計部５４は、収納代行業務にて入力中止された払込金額の合計額を集計して、集計エリア６３に登録する。
【００２５】
レポート出力部５５は、入力受付部５２が点検業務選択画面７０から点検レポートの出力指示を受付けると、点検レポートのデータ生成を行う。即ちレポート出力部５５は、集計エリア６３に格納された集計データを用いて点検レポートの表示データおよび印字データを生成する。そしてレポート出力部５５は、生成した表示データを店員用表示器１７に出力する。店員用表示器１７は当該表示データを用いて点検レポートを表示する。またレポート出力部５５は、生成した印字データをプリンタ１９に出力する。プリンタ１９は当該印字データを用いて点検レポートを印刷する。
【００２６】
次に、ＰＯＳ端末１の動作例について説明する。
【００２７】
（１）入力中止履歴の記録
次に、収納代行業務において入力中止履歴を記録する処理について、収納代行業務の手順例に沿って説明する。図４は、ＰＯＳ端末１が実行する収納代行業務の手順例を示すフローチャートである。尚、図４ではステップＳ６にて入力中止履歴を記録する例を示すが、当該履歴を記録するタイミングは図４の例により限定されるものではない。入力中止を受付けた際に、その後の他取引の開始前に当該履歴が記録されればよい。
【００２８】
まず、表示制御部５１は店員用表示器１７に業務選択画面７１（図５参照）を表示する。業務選択画面７１を表示させるには、例えば登録画面やキーボード１５上に業務選択画面７１に移行するためのアイコンやキーを設けておく。そして、入力受付部５２がキーボード１５またはタッチパネル１７１における入力操作を受付けた際に、表示制御部５１が業務選択画面７１を店員用表示器１７に表示すればよい。
【００２９】
図５は、業務選択画面７１の画面構成例を示す図である。図５に示すように、業務選択画面７１には、収納代行業務を開始するための選択キー７１１が設けられている。入力受付部５２が収納代行業務の選択キー７１１のタッチ操作を受付ける（ステップＳ１）と、表示制御部５１は枚数入力画面７２（図６参照）を表示する。
【００３０】
図６は、枚数入力画面７２の画面構成例を示す図である。図６に示すように、枚数入力画面７２には払込票の受付枚数を入力するためのテンキーが設けられている。入力受付部５２がテンキーを介して払込票の受付枚数の入力を受付ける（ステップＳ２）と、表示制御部５１はガイダンス画面７３（図７参照）を表示する。
【００３１】
図７は、ガイダンス画面７３の画面構成例を示す図である。図７に示すように、ガイダンス画面７３には、払込票に付されたバーコード（払込コード）をスキャナ１６で読み取る旨を指示するガイダンスと、操作イメージとが表示されている。スキャナ１６が払込コードを読み取ると（ステップＳ３）、登録部５３は読み取られた払込コードを用いて、払込マスタ６１（図２参照）に払込情報を問い合わせる。そして、表示制御部５１は払込マスタ６１から読み込まれた払込先名称、口座番号、金額等の払込に関する払込情報を、払込明細画面７４（図８参照）に表示する（ステップＳ４）。
【００３２】
図８は、払込明細画面７４の画面構成例を示す図である。払込明細画面７４には、払込先名称、口座番号、金額等の払込に関する払込情報が表示される。加えて、払込明細画面７４には、枚数入力画面７２（図６参照）から入力された払込票の受付枚数７４１が表示される。また、払込明細画面７４には、スキャナ１６による払込コードの読取により受付済みとなった払込票の枚数７４２が表示される。また、払込明細画面７４には、入力中止アイコン７４３と、受付終了アイコン７４４が設けられている。
【００３３】
入力中止アイコン７４３は、払込票にかかる入金登録処理を中止する指示を受付けるためのアイコンである。受付終了アイコン７４４は、払込票の読込処理、即ち、スキャナ１６を用いて払込コードを読み込む処理を終了し、次に行う精算処理に進むためのアイコンである。
【００３４】
入力受付部５２が入力中止アイコン７４３の選択操作を受付けると（ステップＳ５：Ｙｅｓ）、登録部５３は読み込まれた払込情報をクリアする。そして、登録部５３は、払込金額の入金登録や、精算処理、払込情報の登録または送信等の処理を行わずに、入金登録処理を終了する。登録部５３は、中止された払込票の払込情報を含むジャーナルデータを生成し、ジャーナル格納部６２に記録することで入力中止の履歴を記録する（ステップＳ６）。
【００３５】
図９は、入力中止時に生成されるジャーナルデータの構成例を示した説明図である。入力中止操作を受付けると、登録部５３は入力中止操作を受付けた日時（中止日時）、入力中止操作を受付けたＰＯＳ端末１のレジ番号（即ち、ＰＯＳ端末１の識別情報）、入力中止操作を受付けた際にログインしていた操作者の識別情報である操作者情報、払込票を受付けた枚数（ステップＳ２で入力された枚数）を用いて、ジャーナルデータを生成する。
【００３６】
また、登録部５３は、払込先の名称や、口座情報、払込金額等、払込コードに基づいて払込マスタ６１から読み込んだ払込先情報を含めてジャーナルデータを生成する。そして登録部５３は、生成したジャーナルデータをジャーナル格納部６２に格納する。
【００３７】
尚、枚数入力画面７２（図６参照）から受付けた払込票枚数が複数枚である場合、入力受付部５２は全ての払込票分の入金登録をまとめて中止する。即ち、登録部５３は全ての払込票分の払込情報をまとめてクリアする。そして登録部５３は、中止された払込票枚数と、それぞれの払込票分の払込先情報（名称、口座情報、払込金額）とをジャーナルデータに含める。なお、登録部５３は、キャンセルされた合計金額を算出し、算出した合計金額をジャーナルデータに含める。
【００３８】
なお、枚数入力画面７２から受付けた払込票枚数が複数枚である場合に、入力受付部５２はいずれの払込票について入力中止するかを受付けてもよい。この場合に登録部５３は、入力中止の対象とされた払込票分の払込情報をクリアすればよい。そして、集計部５４は、入力中止した払込票枚数と、入力中止の対象とされた払込票分の払込先情報とをジャーナルデータに含めればよい。
【００３９】
一方、払込明細画面７４（図８参照）において入力中止アイコン７４３の選択操作を受付けなければ（ステップＳ５：Ｎｏ）、ステップＳ７に移行する。そして、受付終了アイコン７４４（図８参照）の選択操作を受付けなければ（ステップＳ７：Ｎｏ）ステップＳ３に戻る。受付終了アイコン７４４の選択操作を受付けると（ステップＳ７：Ｙｅｓ）、登録部５３は払込票の受付枚数が適正か否かを判定する（ステップＳ８）。
【００４０】
ステップＳ２で受付けた枚数と、ステップＳ３で払込コードを読み取ることによって払込処理を受付けた払込票の枚数とが合致していれば、払込票の処理枚数は適正である（ステップＳ８：Ｙｅｓ）。従って受付枚数分のすべての払込票の読取処理が終了したこととなるので、ステップＳ１０に進む。払込コードの読取枚数が受付枚数に達していなければ、受付枚数分のすべての払込票の読取処理は終了していない（ステップＳ８：Ｎｏ）。この場合、表示制御部５１は店員用表示器１７にエラーメッセージを表示し（ステップＳ９）、ステップＳ３に戻る。
【００４１】
ステップＳ８：Ｙｅｓであれば、表示制御部５１は客用表示器１８に承認画面８１（図１０参照）を表示する（ステップＳ１０）。図１０は、承認画面８１の画面構成例を示す図である。承認画面８１には、収納代行を申し込む客に対して、受付内容の明細を表示し、当該受付内容について確認を求めるメッセージが表示される。また、承認画面８１には確認アイコン８１１が設けられている。
【００４２】
尚、承認画面８１を客用表示器１８に表示させる一方で、表示制御部５１は店員用表示器１７に通知メッセージ７５（図１１参照）を表示する。図１１は、通知メッセージ７５の表示例を示す図である。通知メッセージ７５には、客用表示器１８に承認画面８１が表示されている旨を店員に通知するためのメッセージが示される。また、通知メッセージ７５には、客に承認画面８１の表示内容の確認を促し、確認アイコン８１１を操作するよう促すメッセージが表示される。
【００４３】
そして、客用表示器１８の承認画面８１において確認アイコン８１１（図１０参照）が選択されると、入力受付部５２は客による承認操作を受付ける。そして表示制御部５１は、店員用表示器１７、客用表示器１８を図１２、図１３に示すような表示画面に切り替える（ステップＳ１１）。
【００４４】
図１２は、店員用表示器１７に表示される登録画面７６の一例を示す図である。表示制御部５１は店員用表示器１７において通知メッセージ７５（図１１参照）の表示を終了し、受付内容を反映した登録画面７６を図１２に示すように表示する。また、表示制御部５１は、登録画面７６の備考欄において、払込票にストアスタンプを押して客に渡すよう促すガイダンスメッセージおよびイラストを表示する。
【００４５】
図１３は、客用表示器１８に表示される受取画面８２の一例を示す図である。受取画面８２には、レシートとともに、払込票の受領証を受け取るよう客に促すガイダンスメッセージ８２１が示される。また、ストアスタンプの押された受領証のイラスト８２２とともに、店名、日時、担当者名、受付枚数等が記されたレシートのイラスト８２３が表示される。このようなイラスト８２２、８２３をガイダンスメッセージ８２１に添えることで、客に受領証とレシートの両方を受け取って確認するよう促すことができる。
【００４６】
（２）点検レポートの出力
次に、ＰＯＳ端末１が実行する点検処理の手順について説明する。図１４は、ＰＯＳ端末１が実行する点検処理の手順例を示すフローチャートである。
【００４７】
表示制御部５１は、店員用表示器１７に点検業務選択画面７０（図３参照）を表示する（ステップＳ２１）。入力受付部５２は、点検業務選択画面７０（図３参照）から点検処理の開始指示を受付けたか否かを判定する（ステップＳ２２）。点検業務選択画面７０において、仮点検アイコン７０１または本点検アイコン７０２が選択されると（ステップＳ２２：Ｙｅｓ）、ステップＳ２３に移行する。指示を受付けない間（ステップＳ２２：Ｎｏ）はステップＳ２２に戻り入力待ちをする。
【００４８】
集計部５４はジャーナル格納部６２からジャーナルデータを読み込む（ステップＳ２３）。そして集計部５４は、入力中止された払込金額の合計額を集計し（ステップＳ２４）、当該合計額を集計エリア６３に保存する。また、集計部５４は、他の項目の入出金額についてもそれぞれ点検対象期間内のジャーナルデータを読み込んで合計額を集計し、集計結果を集計エリア６３に保存する。
【００４９】
次に、レポート出力部５５は、集計エリア６３から集計データを読み込んで点検レポートの印字データを生成し、プリンタ１９に出力する。プリンタ１９は入力された印字データにより点検レポートを印字する（ステップＳ２５）。
【００５０】
図１５は、点検レポートの印字例を示した図である。尚、図１５では、収納代行業務に関する項目名を「公共料金」と表記しているが、上述のように収納代行業務は公共料金の収納代行に限定されず、通信販売等の収納代行も含まれる。従って図１５の表記により本実施形態の業務対象が公共料金に限定されるものではない。
【００５１】
図１５に示すように、点検レポート２００には、収納代行業務の受付合計金額２０１と、取消合計金額２０２と、受付中止（入力中止）の合計金額２０３とが出力される。このように受付中止の合計金額を点検レポートに出力することで、各ＰＯＳ端末１の点検作業時に受付中止の有無やその総額について確認することができる。従って、各ＰＯＳ端末１において払込金の不正着手の虞が無いか確認することができる。また、受付合計金額、取消合計金額と並べて受付中止の合計金額を出力することで、受付、取消等他の区分の合計金額と比較しつつ受付中止総額を確認することができる。
【００５２】
また、レポート出力部５５は、ジャーナル格納部６２から収納代行業務にかかるジャーナルデータを読み込み、履歴レポートの印字データを生成してプリンタ１９に出力する。プリンタ１９は入力された印字データにより履歴レポートを印字する（ステップＳ２６）。
【００５３】
図１６は、収納代行履歴レポートの印字例を示した図である。図１６に示すように、収納代行履歴レポート３００には、収納代行業務において登録された各取引のジャーナルデータ３０１〜３０３が時系列に出力される。さらに本実施形態の収納代行履歴レポート３００においては、収納代行業務の登録処理を完了せずに処理が中止された取引についても、登録が完了した取引と同様に、そのジャーナルデータ３０４が出力される。
【００５４】
図１６では、ジャーナルデータ３０４として、取引日時「９９：９９」、担当者の識別情報「００５」、入金中止された金額、払込先名称「ＣＣＣＣＣ」、払込先の口座情報「９９９……」等の項目を出力した例を示した。尚、レポート出力する項目はこれらに限定されず、その他の項目を追加して出力してもよい。
【００５５】
入力中止のジャーナルデータ３０４には、その登録処理が途中で中止されたことを明示するために、「中止」のように区分３０５が明記される。これによりジャーナルデータ３０４にかかる取引金額が入力中止されたものであり、合計入金額や合計取消額には加算されていない金額であることを分かり易く表示している。尚、図１６ではジャーナルデータ３０１〜３０３については区分を明記していないが、これはジャーナルデータ３０１〜３０３には金額に正負を付して表示することで当該履歴が「受付」か「取消」かを識別できるからである。無論、ジャーナルデータ３０１〜３０３についても「受付」、「取消」等の区分を付してもよい。
【００５６】
このように履歴レポートに、登録処理が未完了のまま中止された処理であっても、その詳細情報を履歴レポートにおいて出力することで、入力中止を悪用した不正の防止を図ることができる。
【００５７】
入力中止は取引を中止する処理であるから、従来、そのジャーナルデータは登録されずに破棄されていた。そしてこのようにジャーナルデータに残らないという仕組みが、入力中止を悪用した払込金の不正着服に繋がってしまったという側面もある。これに対して本実施形態のＰＯＳ端末１は、登録処理が中止されてもその取引明細をジャーナルデータに保存し、点検レポートや履歴レポートとして出力する。従って、払込金の不正着服を未然に防ぎやすくすることができる。また、点検レポートや履歴レポートにより、不正着服を発覚しやすくできる。
【００５８】
・履歴レポートの出力項目設定
尚、履歴レポートに全取引の履歴を出力せずに、一部の履歴については出力を省略してレポート用紙の節減を図ってもよい。例えば、「受付」のジャーナルデータについては出力を省略し、「取消」および「入力中止」のジャーナルデータを履歴レポートに出力してもよい。あるいは更に、「取消」のジャーナルデータについても出力を省き、「入力中止」の履歴のみを履歴レポートに出力してもよい。これにより、印刷用紙を節減しつつも、不正防止目的のレポートは確実に印字出力することが可能となる。
【００５９】
・履歴レポートの出力タイミング設定
尚、レポート用紙節減の観点から、履歴レポートを印字出力するタイミングを設定可能としてもよい。例えば、仮点検時には履歴レポートを出力せずに点検レポートのみを出力し、本点検時には点検レポートとともに履歴レポートを出力するとしてもよい。また、点検レポートの出力指示とは別に、履歴レポートの出力指示を受付けて当該指示を受付けた際に履歴レポートを出力してもよい。
【００６０】
以上のように本実施形態のＰＯＳ端末１は、収納代行業務において入金登録が中止されるとそのジャーナルデータを保存し、点検レポートに中止された払込合計額を出力する。これにより店舗の管理者は点検レポートの確認時に入金中止の合計額を簡便に確認することができ、払込金の不正着服の虞がないか確認し易くなる。従って本実施形態によれば、払込金の不正着服を発覚しやすくできる販売データ処理装置およびプログラムを提供することができる。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６２】
例えば上述では、ＰＯＳ端末１が払込コードに対応する払込情報を払込マスタ６１から読み込む例について説明したが、実施形態はこれに限定されない。桁数の多いコードを利用できる場合には、払込コード内に払込情報をエンコードして含ませておけばよい。そして、コードシンボルから直接、払込情報をデコードして受付ければよい。このような形態とすれば、払込マスタ６１への問合せを省略することができる。
【符号の説明】
【００６３】
１…ＰＯＳ端末、４…店舗サーバ、１００…店舗システム、１１…制御部、５１…表示制御部、５２…入力受付部、５３…登録部、５４…集計部、５５…レポート出力部、６１…払込マスタ、６２…ジャーナル格納部、６３…集計エリア、２００…点検レポート、３００…収納代行履歴レポート。
【先行技術文献】
【特許文献】
【００６４】
【特許文献１】特開２００２−２６０１０６号公報
【図１】
2016081377.tif 000003
【図２】
2016081377.tif 000004
【図３】
2016081377.tif 000005
【図４】
2016081377.tif 000006
【図５】
2016081377.tif 000007
【図６】
2016081377.tif 000008
【図７】
2016081377.tif 000009
【図８】
2016081377.tif 000010
【図９】
2016081377.tif 000011
【図１０】
2016081377.tif 000012
【図１１】
2016081377.tif 000013
【図１２】
2016081377.tif 000014
【図１３】
2016081377.tif 000015
【図１４】
2016081377.tif 000016
【図１５】
2016081377.tif 000017
【図１６】
2016081377.tif 000018